(57)【特許請求の範囲】
【請求項１】
基材上に感圧転写層を設けた感圧転写テープを巻装した送出コアと、この送出コアより送り出される感圧転写テープのうち感圧転写層を基材からはく離しながら被転写体へ転写させる転写ヘッドと、転写後の基材を巻き取る巻取コアとを筺体内に備えた転写具に用いられる感圧転写媒体において、少なくとも、感圧転写テープと、送出コアと、感圧転写テープと送出コアの間に設けられた転写ヘッドをクリーニングする機能部で構成されていることを特徴とする感圧転写媒体。
【請求項２】
基材上に感圧転写層を設けた感圧転写テープを巻装した送出コアと、この送出コアより送り出される感圧転写テープのうち感圧転写層を基材からはく離しながら被転写体へ転写させる転写ヘッドと、転写後の基材を巻き取る巻取コアとを筺体内に備えた転写具に用いられる感圧転写媒体において、少なくとも、感圧転写テープと、送出コアと、巻取コアと、感圧転写テープと巻取コアの間に設けられた転写ヘッドをクリーニングする機能部で構成されていることを特徴とする感圧転写媒体。
【請求項３】
前記転写ヘッドをクリーニングする機能部は、粘着部であることを特徴とする請求項１または２記載の感圧転写媒体。
【発明の詳細な説明】
【技術分野】
【０００１】  本発明は、転写具に装着して用いられる感圧転写媒体に関するものである。
【背景技術】
【０００２】  例えば、紙等の表面に、基材から隠蔽層を転写して文字等を修正するための感圧転写修正テープや、基材から感圧粘着層を転写して、その上に他の紙等を粘着させるための感圧転写粘着テープは広く用いられている。感圧転写修正テープは、基材上に、離型可能な白色の隠蔽層を形成し、さらにその上に感圧粘着層を形成した構成である。また、感圧転写粘着テープは、基材上に、離型可能な感圧粘着層を形成した構成である。
感圧転写修正テープや感圧転写粘着テープ（以下、感圧転写テープという。）は、送出コアに巻装された状態で転写具に装着されて使用される。転写具は、感圧転写テープを巻装した送出コアと、この送出コアより送り出される感圧転写テープのうち感圧転写層を基材からはく離しながら被転写体へ転写させる転写ヘッドと、転写後の基材を巻き取る巻取コアとを筺体内に備えた構造をしている。
また転写具は環境性、経済性を考慮して、転写具筺体、転写ヘッドなどを再利用し、感圧転写テープを巻装した送出コアと巻取コアを詰め替え可能である、いわゆる詰め替えタイプの転写具が市販されている。
例えば以下の特許文献１〜２が知られている。
【特許文献１】特開平７−０８９６６５
【特許文献２】特開平９−００２７２４
【発明の開示】
【発明が解決しようとする課題】
【０００３】  しかしながら、転写ヘッドを用いて被転写体に感圧転写テープを押し付けてスライドさせながら感圧粘着層や隠蔽層などの感圧転写層を転写させるので、感圧転写テープの端面より、感圧転写層が転写ヘッドに付着し、滓となって蓄積する問題点があった。前記滓は蓄積がひどくなると、転写ヘッドから被転写面に付着し、支障が生じる場合がある。
特に、転写ヘッドを再利用する詰め替えタイプの転写具においては、転写ヘッドを何度も使用するため、転写ヘッドに滓が蓄積しやすく問題が大きかった。
本発明の課題は、たとえ転写ヘッドを再使用する詰め替え式の転写具であっても、転写ヘッドに滓を蓄積させないことである。
【課題を解決するための手段】
【０００４】  請求項１の発明は、基材上に感圧転写層を設けた感圧転写テープを巻装した送出コアと、この送出コアより送り出される感圧転写テープのうち感圧転写層を基材からはく離しながら被転写体へ転写させる転写ヘッドと、転写後の基材を巻き取る巻取コアとを筺体内に備えた転写具に用いられる感圧転写媒体において、少なくとも、感圧転写テープと、送出コアと、感圧転写テープと送出コアの間に設けられた転写ヘッドをクリーニングする機能部で構成されていることを特徴とする感圧転写媒体である。
請求項２の発明は、基材上に感圧転写層を設けた感圧転写テープを巻装した送出コアと、この送出コアより送り出される感圧転写テープのうち感圧転写層を基材からはく離しながら被転写体へ転写させる転写ヘッドと、転写後の基材を巻き取る巻取コアとを筺体内に備えた転写具に用いられる感圧転写媒体において、少なくとも、感圧転写テープと、送出コアと、巻取コアと、感圧転写テープと巻取コアの間に設けられた転写ヘッドをクリーニングする機能部で構成されていることを特徴とする感圧転写媒体である。
請求項３の発明は、前記転写ヘッドをクリーニングする機能部は、粘着部であることを特徴とする請求項１または２記載の感圧転写媒体である。
【発明の効果】
【０００５】  請求項１記載の発明においては、感圧転写テープの使用終了後なお基材を走行させ、転写ヘッドをクリーニングする機能部と転写ヘッドを接触させることにより、転写ヘッドに付着している滓を取り除くことができる。
請求項２記載の発明においては、感圧転写媒体の使用終了後、新たに感圧転写媒体を詰め替えた上で、基材を感圧転写テープ始端部まで走行させることにより、転写ヘッドをクリーニングする機能部と転写ヘッドを接触させることができ、転写ヘッドに付着している滓を取り除くことができる。
請求項３記載の発明においては、転写ヘッドをクリーニングする機能部を粘着部とすることにより、粘着力にて転写ヘッドの滓をきれいに取り除くことができる。
よって、請求項１ないし３の感圧転写媒体を、転写ヘッドを再使用する詰め替え式の転写具に用いても、滓が転写ヘッドに蓄積することはない。
【発明を実施するための最良の形態】
【０００６】  本発明は、図１〜図６に示す以下の形態により実施可能である。図１〜図３は第１形態を、図４は第２形態を、図５は第３形態を、図６は第２形態および第３形態におけるシボテープの拡大図を、それぞれ示す。なお、第１形態においては本発明の感圧転写媒体の基本的に共通した構成について説明し、第２形態以降については、それぞれ、第１形態との相違構成についてのみ説明する。【０００７】（第１形態）
図１に示す第１形態における感圧転写媒体１は、基材３ｂ上に感圧転写層３ａを設けた感圧転写テープ３と、感圧転写テープ３の終端部に転写ヘッド７をクリーニングする粘着テープ４と、エンドテープ５を順に形成し、送出コア６に巻装することにより構成されている。感圧転写媒体１は図２の転写具８に装着され、転写具８の転写ヘッド７を用いて、被転写体に感圧転写テープ３を押し付けてスライドさせながら感圧転写層３ａを転写させることにより使用される。【０００８】  転写具８は、転写ヘッド７と、送出コア６や巻取コア２を回転可能に支持できる軸部と、送出コア６と巻取コア２を連動させて回転させる、たとえばギアもしくはＯリングなどの連動部で構成されている。転写ヘッド７を用いて被転写体に感圧転写テープ３を押し付けてスライドさせることにより、送出コア６は、感圧転写層３ａを設けられた基材３ｂをその回転により送り出し、巻取コア２は、被転写体に感圧転写層３ａを転写した後の基材３ｂをその回転により巻き取る。【０００９】  感圧転写層３ａは、たとえば修正テープの場合は隠蔽層および感圧粘着層であり、感圧転写粘着テープ３の場合は感圧粘着層である。修正テープは、基材３ｂ上に、酸化チタンなどの白色顔料とバインダ樹脂を含む塗剤を塗布乾燥させ、隠蔽層を３〜４０ミクロンの厚さで離型可能に設け、さらに、たとえばアクリル系の感圧粘着剤を塗布乾燥させ、感圧粘着層を０．３〜１０ミクロンの厚さで設けることにより作製される。感圧転写粘着テープ３は、基材３ｂ上に、たとえばアクリル系の感圧粘着剤を塗布乾燥させ、感圧粘着層を１〜５０ミクロンの厚さで離型可能に設けることにより作製される。基材３ｂは、厚さ３〜６０ミクロンのポリエチレンテレフタレートなどのプラスチックフィルムや、紙などの長尺の基材が用いられ、感圧転写層３ａが離型しやすく、さらに巻装時に基材の背面へ感圧転写層３ａが貼り付く、いわゆるブロッキングが生じないように、基材両面を離型処理されたものが好ましい。なお、修正テープや感圧転写粘着テープについて説明をしたが、修正テープの隠蔽層を、たとえば蛍光顔料等を用いた着色層に置き換えた着色テープにも本発明は適用できる。【００１０】  第１形態の感圧転写媒体１は、感圧転写テープ３の始端部にあらかじめ巻取コア２が接続されているものや、転写具装着時に感圧転写テープ３の始端部と巻取コア２を接続させるものを含む。【００１１】  感圧転写テープ３の終端部に形成されている粘着テープ４は、粘着層４ａが露出しており、粘着層４ａの露出している面は、転写ヘッド７と接する面つまり、感圧転写層３ａが設けられている面と反対側に設けられている。図３のように感圧転写テープ３の使用終了後なお基材を走行させ、転写ヘッド７を粘着テープ４の粘着層４ａに接触させることにより、感圧転写テープ３と送出コア６が直接あるいはエンドテープ５を介して接続されている従来の感圧転写媒体と比較して、転写ヘッド７に付着している滓をより確実に取り除くことができる。つまり、隠蔽層や感圧粘着層などの感圧転写層３ａは凝集力が高い層であることと、粘着層４ａの粘着力とを作用させることにより、滓の一部が粘着層４ａに接するのみでも、転写ヘッド７に付着している���を粘着層４ａに取り込むことが可能となる。粘着テープ４は、公知の粘着テープを用いることができ、たとえば厚さ１０〜３０ミクロンのポリエチレンテレフタレートなどのプラスチックや紙などの基材に粘着層４ａを設けた構成である。【００１２】  粘着テープ４と送出コア６の間に形成されているエンドテープ５は、たとえば厚さ１０〜３０ミクロンのポリエチレンテレフタレートなどのプラスチックや紙などの基材により構成されている。さらに、粘着層４ａが設けられている面と反対側が離型処理されていることが好ましい。巻装時に、粘着層４ａがエンドテープに貼りつき、転写ヘッドまで粘着層４ａが走行できないことを防ぐためである。【００１３】（第２形態）
図４に示す第２形態は、第１形態の粘着テープ４をシボテープ９に変更した形態である。第１形態における感圧転写媒体１は、転写ヘッド７をクリーニングする機能部は粘着層４ａであるのに対して、図６に示す通り、第２形態はシボテープ９の凸凹面９ａである。感圧転写テープ３と送出コア６が直接あるいはエンドテープ５を介して接続されている従来の感圧転写媒体と比較して、転写ヘッド７に付着している滓と接触する面積が増えるので、滓の一部が凸凹面９ａに接するのみでも、転写ヘッド７に付着している滓を凸凹面９ａに取り込む、もしくは凸凹面９ａより滓をこすり落とすことが可能となり、滓をより確実に取り除くことができる。シボテープ９は、厚さ１０〜５０ミクロンであるプラスチック基材の一方の表面を凸凹にさせたものなら、公知の材料を用いることができる。【００１４】（第３形態）
第３形態は、送出コア６に感圧転写テープ３が巻装されたパンケーキの始端部に、図５に示すように、転写ヘッド７をクリーニングするシボテープ９を形成し、巻取コア２に接続されている。第１形態および第２形態における感圧転写媒体１は、感圧転写テープ３と送出コア６の間に転写ヘッド７をクリーニングする機能部が設けられているのに対して、第３形態は感圧転写テープ３と巻取コア２の間に転写ヘッド７をクリーニングする機能部が設けられている構成である。感圧転写媒体の使用終了後、新たに感圧転写媒体を詰め替えた上で、基材を感圧転写テープ始端部まで走行させることにより、クリーニングする機能部を転写ヘッド７に接触させ、転写ヘッド７に付着している滓を取り除くことができる。
【実施例】
【００１５】実施例１
両面が離型処理された２５ミクロンのポリエチレンテレフタレートフィルムに、アクリル系粘着剤を塗布乾燥し、２０ミクロンの厚みの感圧粘着層を離型可能に設けることにより、転写テープの元となる原反を作製した。
送出コアに、一方の表面が離型処理されたエンドテープ、粘着層が露出した粘着テープ、上記の原反を順に接続させた上で、スリット及び送出コアへの巻装を行い、幅８．４ｍｍ、長さ２４ｍのパンケーキを作製した。このとき、図１のように感圧粘着層は外側、粘着テープの粘着層は内側、エンドテープの離型処理面は外側に巻装している。つまり、転写ヘッドに対して感圧粘着層は反対面、粘着テープの粘着層は接触面、エンドテープの離型処理面は反対面となる。【００１６】実施例２
粘着テープをシボテープに変えた以外は実施例１と同様に作製した。このとき、シボテープの凸凹面は内側に巻装している。【００１７】実施例３
実施例１の原反を幅８．４ｍｍ、長さ２４ｍで送出コアに巻装したパンケーキの始端部と巻取コアを、シボテープを介して接続した。このとき、図４のように転写ヘッドに対して感圧粘着層は反対面、シボテープの凸凹面は接触面になるように巻取コアに接続させている。【００１８】比較例１
実施例１の感圧転写媒体の粘着テープを取り除いた形態で、感圧転写媒体を作製した。【００１９】  実施例１ないし３、および比較例１の感圧転写媒体を市販の転写ヘッドがローラタイプである転写具に装着し、５回詰め替えを行い、転写ヘッドの滓の蓄積具合を評価した。
◎：転写ヘッドに滓はなく、きれいであった。
○：転写ヘッドにわずかに滓はあったが、被転写体に滓が転写してしまうことは起こらなかった。
×：転写ヘッドに滓が蓄積し、さらに被転写体に滓が転写してしまうことがあった。【００２０】
【表】
0005168636.tif 000002
【００２１】  転写ヘッドをクリーニングする機能部を設けていない比較例１は、被転写体に滓が転写してしまう不具合が生じたのに対して、転写ヘッドをクリーニングする機能部を設けている実施例１〜３は、上記の不具合は生じなかった。さらに、転写ヘッドをクリーニングする機能部は凸凹面より粘着層の方が、効果が大きいことがわかった。
【図面の簡単な説明】
【００２２】
【図１】本発明の第１形態における感圧転写媒体を示す図である。
【図２】本発明の第１形態における感圧転写媒体を装着した転写具を示す図である。
【図３】本発明の第１形態における感圧転写媒体の転写ヘッドをクリーニングする機能部（粘着層）が、転写ヘッドの滓を取り除いているところを示す図である。
【図４】本発明の第２形態における感圧転写媒体を示す図である。
【図５】本発明の第３形態における感圧転写媒体を示す図である。
【図６】本発明の第２形態および第３形態におけるシボテープの拡大図である。
【符号の説明】
【００２３】１    感圧転写媒体
２    巻取コア
３    感圧転写テープ
３ａ  感圧転写層
３ｂ  基材
４    粘着テープ
４ａ  粘着層
５    エンドテープ
６    送出コア
７    転写ヘッド
８    転写具
９    シボテープ
９ａ  凸凹面
【図１】
0005168636.tif 000003
【図２】
0005168636.tif 000004
【図３】
0005168636.tif 000005
【図４】
0005168636.tif 000006
【図５】
0005168636.tif 000007
【図６】
0005168636.tif 000008